(57)【要約】【課題】安価な構造で加湿器の運転中のみならず、停止中でもマイナスイオンを室内に多量に放出することができる加湿器を提供する。【解決手段】送風装置１０から吹出口１３に至る前の風路４中に、全面に小孔３８ａが設けられ、かつ、マイナスイオンを放出する物質を合体させたシート状の素材をプリーツ折りしたマイナスイオン発生シート３８を着脱自在に配設した。【選択図】  図１
2004163046.tif 000002
【特許請求の範囲】
【請求項１】
水槽部（１６）と、この水槽部（１６）に一定量の水を供給する給水用水タンク（３）と、室内の乾燥した空気を取入れる吸込口（１２）と室内に湿った空気を送る吹出口（１３）と、両口（１２）、（１３）間を連絡する風路（４）中に配設された送風装置（１０）と、この送風装置（１０）の出口側に配設されたヒーター（１４）と、下端部を水槽部（１６）内の水に浸漬した気化フィルター（１５）とにより構成され、送風装置（１０）によって吸込口（１２）から風路（４）内に吸い込まれた室内の乾燥した空気をヒーター（１４）を通過させて加熱した後、水槽部（１６）の水により湿潤した気化フィルター（１５）を通過し、吹出口（１３）から吹き出して加湿する加湿器において、前記吹出口（１３）に至る前の風路（４）中に、全面に小孔（３８ａ）が設けられ、かつ、マイナスイオンを放出する物質を合体させたシート状の素材をプリーツ折りしたマイナスイオン発生シート（３８）を配設したことを特徴とする加湿器。
【請求項２】
風路（４）に対向した本体（１）の側面に開口部（１ｂ）を設け、その開口部（１ｂ）に着脱自在に側面カバー（３５）を被せ、その側面カバー（３５）の内側面にマイナスイオン発生シート（３８）を着脱自在に取り付けたことを特徴とする請求項１記載の加湿器。
【発明の詳細な説明】
【０００１】
【発明の属する技術分野】
本発明は、マイナスイオンを発生する気化式の加湿器に関するものである。
【０００２】
【従来の技術】
従来、放電式のマイナスイオン発生装置を備えた空気清浄器として、図４に示すものがある。（例えば、特許文献１参照）
また、超音波式加湿器においても、蒸気の吹き出し通路内に放電式のマイナスイオン発生装置を備え、該通路内で蒸気とマイナスイオンを混合し、吹出口より室内に放出するものがある。（例えば、特許文献２参照）
また、近年市場に出回っている気化式の加湿器では、本体を縦型デザインにして水槽内の水に横長四角形の気化フィルターの下部を浸漬し、この気化フィルターと吹出口との風路中に放電式のマイナスイオン発生装置を設置したり、加湿器本体の側面にマイナスイオン発生シートを貼り付けたものがある。但し、これらのものは未だ特許文献としては公開されていない。
【０００３】
そこで、まず、従来例の空気清浄器を図４に従って説明すると、２１は空気清浄器本体で、その内部にはモーター２２、ファン２３からなる送風装置２４が備えられ、ファン２３の吸込口２５には空気清浄フィルター２６が取り付けられている。また、ファン２３の外周部にはケーシング２７が形成され、モーター２２によりファン２３が回転し、ケーシング２７に沿って風が発生するようになっている。
【０００４】
前記風は、ケーシング２７の内壁に沿って吐き出し方向に形成された風路２８から吹出口２９を経由し、室内に放出される。
【０００５】
３０はマイナスイオン発生用の電極で、その先端部は吹出口２９近傍の風路２８内に設置されている。３１は高電圧回路部で、ケーシング２７の外側で本体２１内の空間内に設置されており、マイナス高電圧端子３２を有して前記マイナスイオン発生用の電極３０に接続されている。３３は制御基板で、運転やモーター２２の回転数及びマイナスイオンの発生をコントロールするものであり、これもケーシング２７の外側で本体２１内の空間内に設置されている。
【０００６】
次に、その動作について説明する。
【０００７】
制御基板３３上の運転スイッチを入れると、モーター２２によりファン２３が回転し、吸込口２５に設けた空気清浄フィルター２６を通過し、ほこり等がないきれいな空気となってケーシング２７に沿って風路２８を通り、吹出口２９より室内に放出される。この時、マイナスイオン発生用の電極３０の先端からマイナスイオンが放出され、風路２８内の風に乗り、吹出口２９より室内に放出される。
【０００８】
また、気化式の加湿器の例としては、図５及び図６に示す構成のものである。
【０００９】
これらの図において、１は縦長箱型の本体、２はこの本体１の一側下部に配設された水槽、１６は水槽２の横に並べて配設された水槽部で、両者は樹脂により一体に成形されており、ともに底部で連なって同一レベルの水を貯水する。そして、この水槽２と水槽部１６は本体１の背面に設けた開口部１ａを通して本体１の外に取り出し可能となっている。
【００１０】
３は給水用水タンクで、本体１の上面から本体１内に挿入され、水槽２上に載置されて該水槽２内に一定量の水を供給する。
【００１１】
１２は室内の乾燥した空気を本体１内に取入れる吸込口で、本体１の側面部に開口している。１３は室内に湿った空気を送る吹出口で、本体１の上面に開口している。１０は吸込口１２から吹出口１３に至る風路４中に配設された送風装置で、モーター１０ａとファン１０ｂ及びファン１０ｂの外周部に形成されたケーシング１０ｃとで構成され、その吐出口側には風を加熱するヒーター１４と、全面に小穴が明けられた吸水性の良い横長方形の気化フィルター１５が配設され、その下端部が水槽部１６内の水に浸漬されている。
【００１２】
そして、送風装置１０によって吸込口１２から吸い込まれた室内の乾燥した空気は風路４内でヒーター１４を通過後、水槽部１６の水により湿潤した気化フィルター１５部を通過し、吹出口１３から室内へ湿った空気を放出する。
【００１３】
１７は枠体よりなるフィルターケースで、水槽部１６内で該水槽部１６と一体に成形され、気化フィルター１５の周囲を覆って該気化フィルター１５を収納しており、両側面の略中間に支点１８が設けられている。１９はこの支点１８を受ける支点受け部で、水槽部１６の両側面の後部側に、該両側面の上面に開口するように設けられ、気化フィルター１５をその開口部を通して取り外せるようになっている。
【００１４】
次に、５はマイナスイオン発生用の電極で、その先端部は吹出口１３近傍の風路４内に突出するように設置されている。６は高電圧回路部で、送風装置１０の外側で本体１内の空間内に設置されており、前記マイナスイオン発生用の電極５に接続されている。
【００１５】
次に、その動作について説明する。
【００１６】
加湿器を運転するに当たっては、まず、給水用水タンク３に水を入れ、本体１の上面から水槽２に設置する。
【００１７】
これにより、水槽２と連通した水槽部１６にも給水用水タンク３からの一定量の水が流れ出し、この水槽部１６に浸漬された気化フィルター１５の下部を満たし、気化フィルター１５は水を吸上げ、湿潤する。
【００１８】
この状態で送風装置１０を駆動すると、吸込口１２から吸い込まれた室内の乾燥した空気は、風路４中に設けたヒーター１４により加熱され、さらに、加熱された温風は下部が水槽部１６内の水に浸漬されて湿潤した気化フィルター１５を通過し、気化フィルター１５内の水を気化させるとともに、吹出口１３へ吸い込まれ、室内に放出される。
【００１９】
この時、マイナスイオン発生用の電極５の先端からマイナスイオンが放出され、送風装置１０から送風される風路４内の風に乗り、吹出口１３より室内にマイナスイオンが放出される。
【００２０】
【特許文献１】
特開２００１−３３８７４４号公報。
【００２１】
【特許文献２】
特開２００２−９８３７１号公報。
【００２２】
【発明が解決しようとする課題】
上記した放電式のマイナスイオン発生装置を設置した従来装置においては、前者及び後者ともマイナスイオンを発生する電極３０及び５を吹出口２９及び１３の近傍に取り付けてマイナスイオンを風に乗せて室内に放出するようにしている。
【００２３】
しかし、前者の空気清浄器はともかくとして、後者の加湿器は湿った空気を室内に放出し、室内の加湿を行うものであるため、マイナスイオン発生用の電極５がそのまま送風装置１０の風路４内に露出しており、加湿動作中、電極５が湿った空気に触れる。
【００２４】
このような状態で使用し続けると、湿った空気中の水分が電極５の先端で電気分解され、硝酸の結晶が早期に付着し、イオンの発生能力が低下してしまうという問題があり、また、結晶排除のためのお手入れ回数が増え、万一、通電中にお手入れした場合には高電圧発生のため危険を伴うという問題があった。
【００２５】
また、加湿器本体の側面にマイナスイオン発生シートを貼り付けたものでは、原価的に安価であるという利点があるが、加湿器本体の大きさからマイナスイオン発生シートの面積が規制され、マイナスイオンの発生量が少ないという欠点があり、また、風などマイナスイオンを運ぶ媒体のないことからマイナスイオン発生シート周辺でのマイナスイオンの拡散がなかった。
【００２６】
本発明は、マイナスイオン発生シートが原価的に安価であるという点に着目し、これを改良することによってマイナスイオンの発生量を多くしたものである。
【００２７】
【課題を解決するための手段】
本発明の具体的構成は、水槽部と、この水槽部に一定量の水を供給する給水用水タンクと、室内の乾燥した空気を取入れる吸込口と室内に湿った空気を送る吹出口と、両口間を連絡する風路中に配設された送風装置と、この送風装置の出口側に配設されたヒーターと、下端部を水槽部内の水に浸漬した気化フィルターとにより構成され、送風装置によって吸込口から風路内に吸い込まれた室内の乾燥した空気をヒーターを通過させて加熱した後、水槽部の水により湿潤した気化フィルターを通過し、吹出口から吹き出して加湿する加湿器において、前記吹出口に至る前の風路中に、全面に小孔が設けられ、かつ、マイナスイオンを放出する物質を合体させたシート状の素材をプリーツ折りしたマイナスイオン発生シートを配設したものである。
【００２８】
また、前記風路に対向した本体の側面に開口部を設け、その開口部に着脱自在に側面カバーを被せ、その側面カバーの内側面にマイナスイオン発生シートを着脱自在に取り付けたものである。
【００２９】
これによって、加湿器の運転中のみならず、停止中でもマイナスイオンを室内に放出することができ、また、運転中には湿った空気と一緒に室内に拡散させることが出来る。
【００３０】
また、マイナスイオン発生シートをプリーツ折りしているため面積を広くすることが出来、マイナスイオンの発生量を多くすることが出来る。
【００３１】
【発明の実施の形態】
以下本発明の一実施例を添付図面中の図１〜図３に従って説明する。
【００３２】
これらの図において、１ｂは開口部で、吹出口１３に至る前の風路４に対向した本体１の側面に設けられている。３５はこの開口部１ｂに本体１の外側から着脱自在に被せられた側面カバーで、その内側面の底部と左右両側端面の略中間部に枠状の保持部３６ａ、３６ｂを設け、また、保持部３６ａ、３６ｂ間に外向きに鍵状部が突出する爪部３７を設けている。
【００３３】
３８はマイナスイオン発生シートで、全面に小孔３８ａが設けられ、かつ、マイナスイオンを放出する物質、例えばトルマリン等の鉱物を合体させたシート状の素材をプリーツ折りして形成され、側面カバー３５の内側面で保持部３６ａと保持部３６ｂにより着脱自在に保持されている。
【００３４】
そして、このマイナスイオン発生シート３８は吹出口１３に至る前の風路４に配設されるように本体１の開口部１ｂに側面カバー３５を被せ、爪部３７の鍵状部を本体１内の引っ掛け部（図示せず）に引っ掛けて固定している。
【００３５】
なお、その他の構成については図５及び図６に示すものと同様であり、また、加湿動作についても図５及び図６に示すものと同様であり、その説明は省略する。
【００３６】
次に、その動作について説明する。
【００３７】
加湿動作は図５及び図６に示すものと同様で、給水用水タンク３からの一定量の水が水槽２と水槽部１６に流れ出し、水槽部１６に浸漬された気化フィルター１５の下部を満たし、気化フィルター１５は水を吸上げ、湿潤する。
【００３８】
この状態で送風装置１０を駆動すると、吸込口１２から吸い込まれた室内の乾燥した空気は、風路４中に設けたヒーター１４により加熱され、さらに、加熱された温風は下部が水槽部１６内の水に浸漬されて湿潤した気化フィルター１５を通過し、気化フィルター１５内の水を気化させるとともに、吹出口１３へ吸い込まれ、室内に放出される。
【００３９】
一方、気化フィルター１５を通過した湿潤した空気は風路４を通る際にマイナスイオン発生シート３８より放出されたマイナスイオンを含み、吹出口１３より室内に放出されて広い範囲に拡散し、使用者を健康的にする。
【００４０】
また、このマイナスイオン発生シート３８からは、加湿器の運転を停止した後にも絶えずマイナスイオンが放出され、吹出口１３より室内に放出する。
【００４１】
また、この際、マイナスイオン発生シート３８はプリーツ折りで、かつ、小穴３８ａが設けられているため、マイナスイオンの放出面積が広く取れ、従来のように本体１の外周面に貼ったマイナスイオン発生シートよりも量的に多く発生させることが出来る。
【００４２】
次に、マイナスイオン発生シート３８を掃除したり交換する場合には、側面カバー３５の爪部３７の鍵状部を本体１内の引っ掛け部（図示せず）から外して側面カバー３５を開口部１ｂから取り出し、マイナスイオン発生シート３８を上に引き出して保持部３６ａ、３６ｂから抜き出せばよい。
【００４３】
【発明の効果】
以上の様に本発明によれば、加湿器の運転中のみならず、停止中でもマイナスイオンを室内に放出することができ、また、運転中には湿った空気と一緒に室内に拡散させることが出来る。
【００４４】
また、マイナスイオン発生シートをプリーツ折りしているため面積を広く取ることが出来、マイナスイオンの発生量を多くすることが出来る。
【００４５】
また、マイナスイオン発生シートを本体から着脱できるため、掃除等も簡単である。
【００４６】
さらに、原価的にも放電式マイナスイオン発生装置に比べて安価に提供することが出来る。
【図面の簡単な説明】
【図１】本発明の一実施例を示す概略正面図である。
【図２】本発明の一実施例を示す概略側面断面図である。
【図３】本発明の一実施例を示す要部部品の拡大斜視図である。
【図４】従来例の空気清浄器の概略構造断面図である。
【図５】従来例の加湿器の概略正面図である。
【図６】従来例の加湿器の概略側面断面図である。
【符号の説明】
１    加湿器の本体
２    水槽
３    給水用水タンク
４    風路
１０    送風装置
１２    吸込口
１３    吹出口
１４    ヒーター
１５    気化フィルター
１６    水槽部
３５    側面カバー
３８    マイナスイオン発生シート
【図１】
2004163046.tif 000003
【図２】
2004163046.tif 000004
【図３】
2004163046.tif 000005
【図４】
2004163046.tif 000006
【図５】
2004163046.tif 000007
【図６】
2004163046.tif 000008